(57)【要約】【課題】特に、ケーブルの外部導体とコネクタ本体部を構成する外部導体との導体接触を簡便に高めることができる電気コネクタに対するケーブルの接続構造及び接続方法を提供することにある。【解決手段】この発明の接続構造は、ケーブル２が外部導体４の外面が山部１０と谷部１１をもつ波状の断面形状を有し、電気コネクタ１が、ケーブル２の接続状態にて、ケーブル２の軸線方向Ｃに沿って複数分割されたばね材からなるチャック部１２をもつクランプ部材１３を有し、このクランプ部材１３のチャック部１２を、そのばね力を用いて、ケーブル２の先端部を口出しにより露出させた外部導体４ａの山部１０ａと緊密接触させることを特徴とする。【選択図】        図１
2004311059.tif 000002
【特許請求の範囲】
【請求項１】
内部導体、これを中心軸として取り囲む外部導体、内部導体と外部導体の間に充填してなる絶縁体、及び外部導体の外周面を覆うシースを有するケーブルと、コンタクトを有する電気コネクタとを具え、ケーブルの先端部を口出しにより露出させた内部導体を、電気コネクタのコンタクトに接続してなる電気コネクタに対するケーブルの接続構造において、
ケーブルは、外部導体の外面が山部と谷部をもつ波状の断面形状を有し、
電気コネクタは、ケーブルの接続状態にて、ケーブルの軸線方向に沿って複数分割されたばね材からなるチャック部をもつクランプ部材を有し、このクランプ部材のチャック部を、そのばね力を用いて、ケーブル先端部を口出しにより露出させた外部導体の山部と緊密接触させることを特徴とする電気コネクタに対するケーブルの接続構造。
【請求項２】
ケーブルの露出させた外部導体の先端部は、ケーブルの軸線方向に向かって複数分割されて折り返された分割導体部を有する請求項１記載の電気コネクタに対するケーブルの接続構造。
【請求項３】
クランプ部材は、そのチャック部先端がシース端面と接触するように配設してなる請求項１又は２記載の電気コネクタに対するケーブルの接続構造。
【請求項４】
ケーブルの口出しされていない先端側部分に、シースを所定幅だけ剥離して露出させた外部導体の外面に、その谷部が埋まるように緊密密着させてなる止水部を設ける請求項１、２又は３記載の電気コネクタに対するケーブルの接続構造。
【請求項５】
止水部は、所定の張力を負荷した状態でらせん巻回することによって外部導体の外面に融着する自己融着テープで形成してなる請求項４記載の電気コネクタに対するケーブルの接続構造。
【請求項６】
電気コネクタは、
ケーブルの軸線方向に沿って複数分割されたばね材からなるチャック部をもつクランプ部材と、
ケーブルに沿って移動でき、ケーブルの接続時に、クランプ部材のチャック部を収納した状態でクランプ部材と連結されるスリーブ部材と、
先端側にケーブルの内部導体に接続されるコンタクトを有し、末端側にクランプ部材及びスリーブ部材を収納する空洞をもつコネクタ本体部と、
コネクタ本体部の末端部に連結され、コネクタ本体部をケーブルの先端部に固定する連結部材と、
を有する請求項１〜５のいずれか１項記載の電気コネクタに対するケーブルの接続構造。
【請求項７】
ケーブルの軸線方向に沿って複数分割されたばね材からなるチャック部をもつクランプ部材、ケーブルに沿って移動でき、ケーブルの接続時に、クランプ部材のチャック部を収納した状態でクランプ部材と連結されるスリーブ部材、先端側にケーブルの内部導体に接続されるコンタクトを有し、末端側にクランプ部材及びスリーブ部材を収納する空洞をもつコネクタ本体部、及びコネクタ本体部の末端部に連結され、コネクタ本体部をケーブルの先端部に固定する連結部材を有する電気コネクタに対し、内部導体、これを中心軸として取り囲む外部導体、内部導体と外部導体の間に充填してなる絶縁体、及び外部導体の外周面を覆うシースを有するケーブルを接続するにあたり、
ケーブルの先端側からケーブルに連結部材及びスリーブ部材を順次挿入する工程と、
ケーブル先端部を所定長さだけシースを剥離して外部導体を露出させる工程と、
露出させた外部導体上にクランプ部材を、チャック部がシース端面に突き当たるまでねじ込む工程と、
スリーブ部材をケーブルの先端側に向かって移動させて、チャック部を収納した状態でスリーブ部材をクランプ部材と連結する工程と、
クランプ部材から突出したケーブルの外部導体に、その先端からケーブルの軸線方向に向かってクランプ部材の端面まで切り込んでからクランプ端面側に折り返して複数の分割導体部を形成する工程と、
ケーブルの外部導体が折り返されることによって露出した絶縁体を、その先端から分割導体部表面まで取り除いて、内部導体を露出させる工程と、
コネクタ本体部をケーブルにその先端側から被せ、連結部材をケーブル先端側に引き寄せてコネクタ本体部の末端部に連結してケーブルに電気コネクタを固定する工程と、
を具えることを特徴とする電気コネクタに対するケーブルの接続方法。
【請求項８】
ケーブルの口出しされていない先端側部分に、シースを所定幅だけ剥離して露出させた外部導体の外面に、その谷部が埋まるように、自己融着テープを、所定の張力を負荷した状態でらせん巻回する工程をさらに具える請求項７記載の電気コネクタに対するケーブルの接続方法。
【発明の詳細な説明】
【０００１】
【発明の属する技術分野】
本発明は、電気コネクタに対するケーブルの接続構造及び接続方法に関し、特に、ケーブルの外部導体とコネクタ本体部を構成する外部導体との導体接触を、簡便に高める接続構造にあり、この接続構造を採用することによって、例えば、携帯電話などの無線通信基地局などで使用されているアンテナユニットを構成するコネクタなどのデバイスに、大電力の送信信号が２波以上入力されたときに発生しやすい相互変調ひずみ（ＩＭ）を抑制する。
【０００２】
【従来の技術】
例えば携帯電話などの無線通信に使用されるケーブルは、通常、内部導体、これを中心軸として取り囲む外部導体、内部導体と外部導体の間に充填してなる絶縁体、及び外部導体の外周面を覆うシースで構成されている。
【０００３】
このケーブルは、別のケーブル等の他の部材に接続する場合、ケーブル先端部に電気コネクタを取り付ける。
【０００４】
従来の電気コネクタとしては、例えば特許文献１に記載されている。
この電気コネクタは、図１１に示すように、同軸ケーブル用コネクタであり、このコネクタ１０１は、同軸ケーブル１０２のシース１０３と外部導体１０４を把持するガイド１０５と、外部導体１０４に接触するコネクタ１０１の外部導体１０６と、この外部導体１０６と絶縁体１０７を介して配置され同軸ケーブル１０２の内部導体１０８に接触するコネクタのコンタクト１０９とを有している。ガイド１０５とコネクタ１０１の外部導体１０６とは、螺合するように構成されている。
【０００５】
【特許文献１】
特開２００１−３５１７２５号公報
【０００６】
そして、同軸ケーブル１０２をコネクタ１０１に取り付ける場合には、まず、同軸ケーブル１０２のシース１０３を所定長さだけ切り取って外部導体１０４を露出させ、ガイド１０５を通した後、同軸ケーブル１０２の先端部の外部導体１０４及び絶縁体１１０を加工して、内部導体１０８を露出させ、その後、内部導体１０８をコネクタ１０１のコンタクト１０９に取り付けるとともに、コネクタ１０１の外部導体１０６を回転させながらガイド１０５に螺合させることによって、同軸ケーブル１０２をコネクタ１０１に取り付けることができる。
【０００７】
かかるコネクタ１０１では、その本体部を構成する外部導体１０６と、ケーブル１０２の外部導体１０４との導体接触が、ガイド１０５を介して維持されており、ガイド１０５とケーブル１０２の外部導体１０４との導体接触は、山部１１１と谷部１１２のケーブル軸線位置が円周方向に変化するように螺旋波状の成型加工を施してコルゲートパイプ状に形成した外部導体１０４の外面に、この外部導体１０４と同様な螺旋波状に形成した内周面１１３をもつガイド１０５を、ケーブル先端側から前記外部導体１０４の外面の螺旋波状に沿って回転させながらねじ込むことによって得られる。
【０００８】
しかしながら、かかるコネクタ１０１は、ガイド１０５が真ちゅう等の金属剛体で構成されているため、ケーブル１０２の外部導体１０４とガイド１０５を緊密導体接触させるには、外部導体１０４の外面とガイド１０５の内周面を、高精度な精密加工で形成する必要があり、これは、製品コストの上昇や、作業性の悪化という問題があり、加えて、ケーブル１０２の外部導体１０４の外面を、山部と谷部のケーブル軸線位置が円周方向に変化しないリング波状に形成した場合には、外部導体１０４にガイド１０５を回転させながらねじ込むことができないため、ケーブル１０２の外部導体１０４にガイド１０５を取り付けることが困難であり、かかるリング波状の外面形状をもつケーブル１０２の外部導体１０４に対しては前記内周面形状をもつガイド１０５は適用できないという問題もあり、また、ケーブルにて位相を合わせることが難しかった。
【０００９】
【発明が解決しようとする課題】
この発明の目的は、特に、ケーブルの外部導体とコネクタ本体部を構成する外部導体との導体接触を簡便に高めることができる電気コネクタに対するケーブルの接続構造及び接続方法を提供することにある。
【００１０】
【課題を解決するための手段】
上記目的を達成するため、この発明に従う電気コネクタに対するケーブルの接続構造は、内部導体、これを中心軸として取り囲む外部導体、内部導体と外部導体の間に充填してなる絶縁体、及び外部導体の外周面を覆うシースを有するケーブルと、コンタクトを有する電気コネクタとを具え、ケーブルの先端部を口出しにより露出させた内部導体を、電気コネクタのコンタクトに接続してなる電気コネクタに対するケーブルの接続構造において、ケーブルは、外部導体の外面が山部と谷部をもつ波状の断面形状を有し、電気コネクタは、ケーブルの接続状態にて、ケーブルの軸線方向に沿って複数分割されたばね材からなるチャック部をもつクランプ部材を有し、このクランプ部材のチャック部を、そのばね力を用いて、ケーブル先端部を口出しにより露出させた外部導体の山部と緊密接触させることにある。
【００１１】
また、ケーブルの露出させた外部導体の先端部は、ケーブルの軸線方向に向かって複数分割されて折り返された分割導体部を有することが好ましい。
【００１２】
さらに、クランプ部材は、そのチャック部先端がシース端面と接触するように配設することが好ましい。
【００１３】
さらにまた、ケーブルの口出しされていない先端側部分に、シースを所定幅だけ剥離して露出させた外部導体の外面に、その谷部が埋まるように緊密密着させてなる止水部を設けることが好ましく、加えて、止水部は、所定の張力を負荷した状態でらせん巻回することによって外部導体の外面に融着する自己融着テープで形成してなることがより好適である。
【００１４】
加えて、電気コネクタは、ケーブルの軸線方向に沿って複数分割されたばね材からなるチャック部をもつクランプ部材と、ケーブルに沿って移動でき、ケーブルの接続時に、クランプ部材のチャック部を収納した状態でクランプ部材と連結されるスリーブ部材と、先端側にケーブルの内部導体に接続されるコンタクトを有し、末端側にクランプ部材及びスリーブ部材を収納する空洞をもつコネクタ本体部と、コネクタ本体部の末端部に連結され、コネクタ本体部をケーブルの先端部に固定する例えばナットのような連結部材とを有することが好ましい。
【００１５】
この発明に従う電気コネクタに対するケーブルの接続方法は、ケーブルの軸線方向に沿って複数分割されたばね材からなるチャック部をもつクランプ部材、ケーブルに沿って移動でき、ケーブルの接続時に、クランプ部材のチャック部を収納した状態でクランプ部材と連結されるスリーブ部材、先端側にケーブルの内部導体に接続されるコンタクトを有し、末端側にクランプ部材及びスリーブ部材を収納する空洞をもつコネクタ本体部、及びコネクタ本体部の末端部に連結され、コネクタ本体部をケーブルの先端部に固定する連結部材を有する電気コネクタに対し、内部導体、これを中心軸として取り囲む外部導体、内部導体と外部導体の間に充填してなる絶縁体、及び外部導体の外周面を覆うシースを有するケーブルを接続するにあたり、ケーブルの先端側からケーブルに連結部材及びスリーブ部材を順次挿入する工程と、ケーブル先端部を所定長さだけシースを剥離して外部導体を露出させる工程と、露出させた外部導体上にクランプ部材を、チャック部がシース端面に突き当たるまでねじ込む工程と、スリーブ部材をケーブルの先端側に向かって移動させて、チャック部を収納した状態でスリーブ部材をクランプ部材と連結する工程と、クランプ部材から突出したケーブルの外部導体に、その先端からケーブルの軸線方向に向かってクランプ部材の端面まで切り込んでからクランプ端面側に折り返して複数の分割導体部を形成する工程と、ケーブルの外部導体が折り返されることによって露出した絶縁体を、その先端から分割導体部表面まで取り除いて、内部導体を露出させる工程と、コネクタ本体部をケーブルにその先端側から被せ、連結部材をケーブル先端側に引き寄せてコネクタ本体部の末端部に連結してケーブルに電気コネクタを固定する工程とを具えることにある。
【００１６】
また、ケーブルの口出しされていない先端側部分に、シースを所定幅だけ剥離して露出させた外部導体の外面に、その谷部が埋まるように、自己融着テープを、所定の張力を負荷した状態でらせん巻回する工程をさらに具えることが好ましい。
【００１７】
【発明の実施の形態】
図１は、本発明に従う電気コネクタ１に対するケーブル２の接続構造の実施形態の一例を示したものである。
【００１８】
図１に示す電気コネクタ１に対するケーブルの接続構造２は、内部導体３、これを中心軸として取り囲む外部導体４、内部導体３と外部導体４の間に充填してなる絶縁体５、及び外部導体４の外周面を覆うシース６を有するケーブル２と、コンタクト７を有する電気コネクタ１とを具え、ケーブル２の先端部を口出しにより露出させた内部導体３ａを、電気コネクタ１のコンタクト７に接続したものである。
【００１９】
そして、この発明に従う電気コネクタ１に対するケーブル２の接続構造の構成上の主な特徴は、ケーブル２の外部導体４とコネクタ本体部８を構成する外部導体９との導体接触構造の適正化にあり、より具体的には、ケーブル２は、外部導体４の外面が山部１０と谷部１１をもつ波状の断面形状を有する、いわゆるコルゲート状に形成され、電気コネクタ１は、ケーブル２の接続状態にて、ケーブル２の軸線方向Ｃに沿って複数分割されたばね材からなるチャック部１２をもつクランプ部材１３を有し、このクランプ部材１３のチャック部１２を、そのばね力を用いて、ケーブル２の先端部２ａを口出しにより露出させた外部導体４ａの山部１０ａと緊密接触させることにあり、この構成を採用することによって、特に、ケーブル２の外部導体４とコネクタ本体部８を構成する外部導体９との導体接触を簡便に高めることができる。
【００２０】
すなわち、ケーブル２の外部導体４の外面をコルゲート状にするとともに、クランプ部材１３のチャック部１２をばね材で構成することによって、前記外部導体４と前記チャック部１２との接触圧が高められる結果、ケーブル２の外部導体４とコネクタ１の外部導体９との間の外部導体接触を安定に実現することができる。
加えて、クランプ部材１３のチャック部１２は、その内周面がケーブル２の外部導体４を構成する山部１０と谷部１１のそれぞれに対応する（図示しない）凹凸形状を有する場合には、螺旋波状に形成された前記外部導体４ａの外面に沿って、ねじ込みながら簡便に取り付けることができ、一方、クランプ部材１３のチャック部１２は、その内周面が図１に示すようにフラットな形状を有する場合には、前記外部導体４ａの山部１０ａ、１０ａ間を移動するように前記チャック部１２が構成されているので、ケーブル２の外部導体４ａの外面が、螺旋波状に形成された場合だけでなく、リング波状に形成された場合であっても、同様にケーブル２の外部導体４ａに、山部間を摺動させながら簡便に取り付けることができる。
【００２１】
加えて、ケーブル２の露出させた外部導体４ａの先端部は、ケーブル２の軸線方向Ｃに向かって複数分割されて折り返された分割導体部１４を有することが、ケーブル２の外部導体４とコネクタ本体部８を構成する外部導体９との導体接触をより一層安定に高める上で好ましい。
【００２２】
尚、分割導体１４の配設数は、多いほど接触安定性に優れるものの加工性が悪くなるので、両性能を満足させる点で、４〜８個にすることが好ましく、最適には８個である。
【００２３】
さらに、クランプ部材は、そのチャック部先端がシース端面と接触するように配設すれば、ケーブルにて位相を合わせることが容易になる点で好ましい。
【００２４】
また、特許文献１に記載されたコネクタ１０１は、ケーブル１０２の先端部の露出した外部導体１０４とシース１０３との隙間１１４に浸入した水がコネクタ１０１の内部に流れ込むのを防止する止水手段として、図１１に示すように、ケーブル１０２の先端部の露出した外部導体１０４とその外部導体１０４を挟持するガイド１０５との間に、走水防止ガスケット１１５を、露出した外部導体１０４の周囲を覆うように設けており、この走水防止ガスケット１１５は、ケーブルの外部導体の外面形状と同様な螺旋波状に成型加工された内周面をもち、シリコンゴム等の弾性を有する材質からなり、ケーブルの露出した外部導体とガイド１０５の間に挿入され、このガスケット１１５の周囲には、締付け用の断面Ｃ型のばね材からなる圧縮バンド１１６と、この圧縮バンドの上下位置に、圧縮バンド１１６を径方向内方に付勢するためのイモネジ１１７とが設けられている。
【００２５】
しかしながら、特許文献１に記載された走水防止ガスケット１１５は、内周面を螺旋波状に成型加工する必要があるため、金型が必要であり、しかも、ケーブルの外部導体の外面と走水防止ガスケット１１５の内周面とが同一の螺旋波状に精密加工しなければならない上、これらの面を最適な位置で合わせて緊密に密着させるのは難しい。加えて、走水防止ガスケット１１５をイモネジ１１７で径方向内方に強く締付けたとしても、ガスケット１１５はゴムであるため、ガスケット１１５の内周面がケーブルの外部導体の外面、特に谷部に完全に密着させることはできない。
【００２６】
このため、この発明でも止水手段を設ける必要がある場合には、ケーブル２の口出しされていない先端側部分に、シース６を所定幅だけ剥離して露出させた外部導体４ｂの外面に、その谷部１１が埋まるように緊密密着させてなる止水部１５を設けることが好ましい。尚、前記所定幅は、ピッチ（谷部間ピッチ）によって変化するが、好ましくは２ピッチ以上である。例えば、ピッチが２．８ｍｍの場合には、所定幅は１４ｍｍ程度とすることが好適である。
【００２７】
止水部１５は、例えば、所定の張力を負荷した状態でらせん巻回することによって外部導体４ｂの外面に融着する自己融着テープで形成して、外部導体４ｂの谷部１１が埋まるように緊密密着させて設けることが好ましい。
【００２８】
ここで、自己融着テープとは、張力をかけながら巻きつけることによって、テープ自身が完全に融着し優れた絶縁性と水密性が得られるテープを意味し、さらに、テープを巻きつけた後に指圧などの圧力を加えて融着を促進してもよい。
【００２９】
尚、自己融着テープを用いて止水部１５を形成する場合には、テープ幅の半幅程度ずつずらしながら、ケーブル２の露出させた外部導体４ｂの全面にわたってらせん巻回して止水部１５を形成した後、さらに、図１に示すように、耐候性に優れた保護テープを螺旋巻回して保護層１６を形成してもよいが、後述するように、図１０（ｅ）及び（ｆ）に示すように、自己融着テープを縦にして外部導体の２ピッチ分以上の谷部を埋めるように巻きつけた後、保護テープ１６の代わりに、同じ自己融着テープを横にして外部導体の山部を覆うように１周以上巻きつけて形成したテープ層とすることがより好適である。
【００３０】
また、図１の電気コネクタ１は、クランプ部材１３と、スリーブ部材１７と、コネクタ本体部８と、連結部材１８とで主に構成されている。
【００３１】
クランプ部材１３は、スリーブ部材とねじ連結する外周面をもつリング状部１９と、ケーブル２の軸線方向Ｃに沿って複数分割された、例えば、ばね鋼のようなばね材からなるチャック部１２とで構成され、ケーブル接続時には、クランプ部材１３のリング状部１９とコネクタ本体部８を構成する外部導体９との間で、ケーブルの先端に設けた分割導体１４を強く押圧することによって、安定な外部導体接触を得ることができる。尚、クランプ部材は、そのチャック部先端がシース端面と接触するように配設することが、ケーブルにて位相を合わせることが容易になる点で好ましい。
【００３２】
スリーブ部材１７は、クランプ部材１３のリング状部１９の外周面とねじ連結可能な内周面をもつ大径部２０と、ケーブル接続時に、クランプ部材のチャック部を収納できる内径をもつ小径部２１とで構成され、スリーブ部材１７は、ケーブル２に沿って移動でき、ケーブル接続時に、クランプ部材１３のチャック部１２を収納した状態でクランプ部材１３と連結される。
【００３３】
コネクタ本体部８は、外部導体９と、別のケーブル等の他の部材に接続するための接続部材２２とで構成されており、これら外部導体９と接続部材２２は、径方向外側に付勢したリング状スプリング２３によって連結されている。
【００３４】
外部導体９は、先端側には、リング状の絶縁体２４を介してケーブル２の内部導体３ａに接続されるコンタクト７を有するとともに、そのコンタクト７を中心として円筒状に延びる外部導体９の先端部２５を有し、末端側には、クランプ部材１３及びスリーブ部材１７を収納する空洞を有している。
【００３５】
連結部材１８は、コネクタ本体部８を構成する外部導体９の末端部の内周面とねじ連結可能な外周面をもち、ケーブル接続時に、コネクタ本体部８と連結部材１８をねじ連結することによって、この発明に従う電気コネクタに対するケーブルの接続構造を得ることができる。
【００３６】
尚、図１では、コネクタ本体部８を構成する外部導体９と連結部材１８との間にワッシャ２６を挿入するとともに、ケーブルとコネクタの接続部の外周を被覆するように収縮チューブ２７を配設してある。
【００３７】
次に、この発明に従う電気コネクタに対するケーブルの接続方法の一例を、図２〜１０を参照しながら詳細に説明する。
【００３８】
図２は、電気コネクタ１の構成部材を示す分解図であって、右から、コネクタ本体部８、クランプ部材１３、スリーブ部材１７、ワッシャ２６、及び連結部材１８である。
【００３９】
まず、図３に示すように、ケーブル２の先端側からケーブル２に、連結部材１８、ワッシャ２６及びスリーブ部材１７を順次挿入した後、ケーブル先端部を所定長さ、好適には２０〜２５ｍｍだけシース６を剥離して外部導体４ａを露出させる。
【００４０】
露出させた外部導体４ａ上にクランプ部材１３を、図４に示すように、チャック部１２がシース端面６ａに突き当たるまでねじ込んでケーブル２に装着する。
【００４１】
次に、スリーブ部材１７をケーブル２の先端側に向かって移動させて、チャック部１２を収納した状態でスリーブ部材１７を締め込んでクランプ部材１３とねじ連結する（図５）。
【００４２】
クランプ部材１３から突出したケーブル２の外部導体４ａに、図６に示すように、その先端からケーブル２の軸線方向Ｃに向かってクランプ部材１３の端面２８まで切り込んでから、図７に示すように、前記端面２８側に折り返して複数の分割導体部１４を形成する。尚。折り返した分割導体部１４は、前記端面２８でフラット状に押し広げられた後、前記端面２８から径方向外方にはみ出した部分（図７の点線で示す部分２９）については切断して取り除くことが好ましい。
【００４３】
その後、ケーブル２の外部導体４ａが折り返されることによって露出した絶縁体５ａを、図８に示すように、その先端から分割導体部１４の表面まで取り除いて、内部導体３ａを露出させる。
【００４４】
そして、コネクタ本体部８をケーブル２にその先端側から被せ、連結部材１８をケーブル２の先端側に引き寄せた後、図９に示すように、コネクタ本体部８を構成する外部導体９の末端部に締め込んでねじ連結してケーブル２に電気コネクタ１を固定することによって、本発明の電気コネクタに対するケーブルの接続構造を得ることができる。
【００４５】
次に、かかる接続構造を有するケーブル２に止水部１５を設ける方法の一例を図１０（ａ）〜（ｆ）を参照しながら説明する。
【００４６】
まず、かかる接続構造を形成したケーブル２の口出しされていない先端側部分に、シース６を所定幅（１０〜３０ｍｍ）だけ剥離する。シース６の剥離方法は、例えば、図１０（ａ）に示すように、接続部側のケーブル位置に、両刃３０をもつアイディアル３１を取り付け、ケーブル２の周方向に１回転させることによって所定幅Ｗの両幅端位置３２ａ、３２ｂに切り込みを入れ、次いで、図１０（ｂ）に示すように、コネクタ側よりカッター３３で、外部導体に傷がつかないように浅く、縦に切り込み３４を入れる。
【００４７】
その後、図１０（ｃ）に示すように、ペンチ３５で外部導体４ｂを傷つけないように切り込んだ部分のシース６を剥ぎ取り、外部導体４ｂを露出させる（図１０（ｄ））。
【００４８】
そして、図１０（ｅ）に示すように、まず、自己融着テープ３６を縦にして、外部導体４ｂの谷部１１ｂを埋めるように巻きつけていき、その後、図１０（ｆ）に示すように、自己融着テープ３６を横にして、露出させた外部導体４ｂだけでなく、外部導体４ｂの両側に位置するシース部分にわたって巻き付けられる。尚、自己融着テープ３６を横にして巻きつける場合には、ケーブルシースと外部導体４ｂの間に１周以上巻きつければよいが、外部導体４ｂの両側に位置するシース部分だけは、２周以上巻きつけることが水密性（防水性）の点で好ましい。
【００４９】
上述したところは、この発明の実施形態の一例を示したにすぎず、請求の範囲において種々の変更を加えることができる。
【００５０】
【発明の効果】
この発明によれば、特に、ケーブルの外部導体とコネクタ本体部を構成する外部導体との導体接触を簡便に高めることができる電気コネクタに対するケーブルの接続構造及び接続方法を提供することが可能になった。
【００５１】
また、この発明の接続構造を採用すれば、より良い接触や振動及び衝撃に対する緩みが有効に防止され、かつ、相互変調ひずみ（ＩＭ）が抑制される。
【００５２】
さらに、クランプ部材を、そのチャック部先端をシース端面と接触するように配設することによって、位置合わせができ、かつ、ケーブル切断が簡単にできるので、ケーブルにて位相合せが容易になる。
【００５３】
さらにまた、ケーブルの口出しされていない先端側部分に、シースを所定幅だけ剥離して露出させた外部導体の外面に、その谷部が埋まるように緊密密着させてなる止水部を設けることによって、ケーブルとコネクタの接続部分への水の浸入を防止することができ、接続ユニットを構成する部品の絶縁短絡を抑制することができる。
【００５４】
尚、この発明の接続構造を採用すれば、例えば、携帯電話などの無線通信基地局などで使用されているアンテナユニットを構成するコネクタなどのデバイスに、大電力の送信信号が２波以上入力されたときに発生しやすい相互変調ひずみ（ＩＭ）を有効に抑制することができる。
【図面の簡単な説明】
【図１】この発明に従う電気コネクタに対するケーブルの接続構造の一例を示す縦断面図である。
【図２】図１の電気コネクタからフードを取り外してケーブルの接続構造を示した拡大斜視図である。
【図３】この発明に従う電気コネクタに対するケーブルの接続方法を説明するための平面図である。
【図４】この発明に従う電気コネクタに対するケーブルの接続方法を説明するため、主要工程の一つを示した平面図である。
【図５】この発明に従う電気コネクタに対するケーブルの接続方法を説明するため、主要工程の一つを示した平面図である。
【図６】この発明に従う電気コネクタに対するケーブルの接続方法を説明するため、主要工程の一つを示した平面図である。
【図７】この発明に従う電気コネクタに対するケーブルの接続方法を説明するため、主要工程の一つを示した平面図である。
【図８】この発明に従う電気コネクタに対するケーブルの接続方法を説明するため、主要工程の一つを示した平面図である。
【図９】この発明に従う電気コネクタに対するケーブルの接続方法を説明するため、主要工程の一つを示した平面図である。
【図１０】（ａ）〜（ｆ）はいずれも、この発明の接続構造を有するケーブル２に止水部１５を設ける方法を説明するため、主要工程を示した平面図である。
【図１１】従来の電気コネクタに対するケーブルの接続構造を示す側面図であり、上側半部だけが縦断面図である。
【符号の説明】
１  電気コネクタ
２  ケーブル
３  内部導体
４  外部導体
５  絶縁体
６  シース
７  コンタクト
８  コネクタ本体部
９  外部導体
１０  山部
１１  谷部
１２  チャック部
１３  クランプ部材
１４  分割導体部
１５  止水部
１６  保護層
１７  スリーブ部材
１８  連結部材
１９  リング状部
２０  大径部
２１  小径部
２２  接続部材
２３  リング状スプリング
２４  リング状の絶縁体
２５  外部導体の先端部
２６  ワッシャ
２７  収縮チューブ
２８  クランプ部材の端面
２９  部分
３０  刃
３１  アイディアル
３２ａ，３２ｂ  幅端位置
３３カッター
３４  切り込み
３５  ペンチ
３６  自己融着テープ
【図１】
2004311059.tif 000003
【図２】
2004311059.tif 000004
【図３】
2004311059.tif 000005
【図４】
2004311059.tif 000006
【図５】
2004311059.tif 000007
【図６】
2004311059.tif 000008
【図７】
2004311059.tif 000009
【図８】
2004311059.tif 000010
【図９】
2004311059.tif 000011
【図１０】
2004311059.tif 000012
【図１１】
2004311059.tif 000013